(57)【要約】【課題】  各ソースライン間の寄生容量に起因する、各ソースラインおよび画素電極の電位変動を抑制（解消）できるソースラインの駆動方法を提供する。【解決手段】  ソースドライバからの１本の出力Ｓ６１を複数に分割して各ソースラインＳＲ７〜ＳＢ１２に対応させ、これらをソースラインＳＲ７（始端データライン）〜ＳＢ１２（終端データライン）までのブロック（組）とし、上記各ブロックでは、第１の水平期間Ｔ内に、分割された出力の信号電位をスイッチによって選択した各ソースラインに与え、続く第２の水平期間Ｔ内に、上記出力とは逆極性の信号電位を各ソースラインに与えるソースラインの駆動方法であって、上記各水平期間に、上記ソースラインＳＲ７〜ＳＢ１２までを順に選択する順次選択を行うとともに、上記ソースラインＳＢ１２については、この順次選択に加えて、ソースラインＳＲ７の選択状態をＯＦＦにする前にも選択する。【選択図】  図２
2005148314.tif 000002
【特許請求の範囲】
【請求項１】
複数のデータライン各々に出力手段からの出力を書き込むために、
上記出力手段からの１本の出力を複数に分割して各データラインに対応させ、これらのデータラインを始端データラインから終端データラインまでの組とし、
上記各組では、第１の所定期間内に、上記分割された出力の信号電位をスイッチによって選択した各データラインに与え、続く第２の所定期間内に、上記出力とは逆極性の信号電位をスイッチによって選択した各データラインに与えるデータラインの駆動方法であって、
上記各所定期間に、上記各組が同期して、上記始端データラインから終端データラインまでの各データラインを順に選択する順次選択を行うとともに、上記終端データラインについては、この順次選択に加えて、始端データラインの選択状態をＯＦＦにする前にも選択しておくことを特徴とするデータラインの駆動方法。
【請求項２】
上記順次選択における各データラインの選択を、１ライン前に選択されたデータラインの選択状態をＯＦＦにする前に行うことを特徴とする請求項１に記載のデータラインの駆動方法。
【請求項３】
上記順次選択に加えて行われる終端データラインの選択を、始端データラインの順次選択の前に行うことを特徴とする請求項１に記載のデータラインの駆動方法。
【請求項４】
順次選択に加えて行われる終端データラインの選択を、始端データラインの順次選択と同期して行うことを特徴とする請求項１に記載のデータラインの駆動方法。
【請求項５】
上記出力の信号電位の極性を所定期間毎に周期的に反転させることを特徴とする請求項１に記載のデータラインの駆動方法。
【請求項６】
上記データラインは表示装置の各画素に対応して設けられたソースラインであり、上記出力手段は信号電位を出力するソースドライバであり、上記第１および第２の所定期間は一水平期間であることを特徴とする請求項１に記載のデータラインの駆動方法。
【請求項７】
複数のデータライン各々に出力手段からの出力を書き込むために、上記出力手段からの１本の出力を複数に分割して各データラインに対応させ、これらのデータラインを始端データラインから終端データラインまでの組とし、上記各組では、第１の所定期間内に、上記分割された出力の信号電位をスイッチによって選択した各データラインに与え、続く第２の所定期間内に、上記出力とは逆極性の信号電位をスイッチによって選択した各データラインに与えるデータラインの駆動方法であって、上記各所定期間に、上記各組が同期して、上記始端データラインから終端データラインまでの各データラインを順に選択する順次選択を行うとともに、上記終端データラインについては、この順次選択に加えて、始端データラインの選択状態をＯＦＦにする前にも選択しておくデータラインの駆動方法を用いたことを特徴とする表示装置。
【請求項８】
複数のソースライン各々にソースドライバからの出力を書き込むために、上記ソースドライバからの１本の出力を複数に分割して各ソースラインに対応させ、これらのソースラインを始端ソースラインから終端ソースラインまでの組とし、上記各組では、第１の水平期間内に、上記分割された出力の信号電位をスイッチによって選択した各ソースラインに与え、続く第２の水平期間内に、上記出力とは逆極性の信号電位をスイッチによって選択した各ソースラインに与えるソースラインの駆動方法であって、上記各水平期間に、上記各組が同期して、上記始端ソースラインから終端ソースラインまでの各ソースラインを順に選択する順次選択を行うとともに、上記終端ソースラインについては、この順次選択に加えて、始端ソースラインの選択状態をＯＦＦにする前にも選択しておくソースラインの駆動方法を用いたことを特徴とする液晶表示装置。
【発明の詳細な説明】
【技術分野】
【０００１】
本発明は、データラインの駆動方法に関し、特に、液晶表示装置におけるソースラインの駆動方法に関する。
【背景技術】
【０００２】
図５は、ソースドライバからの1本の出力（信号電位）をスイッチで分割して複数のソースラインを駆動する液晶表示装置を説明するブロック図である。
【０００３】
同図に示すように、上記液晶表示装置の表示部１９５では、複数行のゲートラインＧ１９０、１９１・・・と複数列のソースラインＳＲ１０１〜ＳＢ１１２・・・とが表面にマトリクス状に配線され、例えばゲートラインＧ１９１とソースラインＳＲ１０１〜ＳＢ１１２との各交差点にスイッチング素子としての薄膜トランジスタＴＲ１２５〜ＴＢ１３６が形成されている。
【０００４】
そして、各薄膜トランジスタＴＲ１２５〜ＴＢ１３６のゲートがゲートラインＧ１９１に接続され、ソースがソースラインＳＲ１０１〜ＳＢ１１２に接続され、ドレインが画素電極ＰＲ１１３〜ＰＢ１２４に接続されている。
【０００５】
さらに、上記ソースラインＳＲ１０１〜ＳＢ１１２は６本ごとにブロック化（Ｂ１５４、Ｂ１５５）され、それぞれのソースラインＳＲ１０１〜ＳＢ１１２に設けられたトランジスタ等の分割スイッチＳＷＲ１３７〜ＳＷＢ１４８を介して上記ブロック毎にソースドライバ１７０からの出力（Ｓ１６０あるいはＳ１６１）に接続されている。
【０００６】
例えば、ブロックＢ１５４においては、６本のソースラインＳＲ１０１、ＳＧ１０２、ＳＢ１０３、ＳＲ１０４、ＳＧ１０５、ＳＢ１０６それぞれが分割スイッチＳＷＲ１３７、ＳＷＧ１３８、ＳＷＢ１３９、ＳＷＲ１４０、ＳＷＧ１４１、ＳＷＢ１４２のドレインに接続されている。そして、上記分割スイッチＳＷＲ１３７〜ＳＷＢ１４２それぞれのソースがブロックＢ１５４に対応するソースドライバ１７０からの１本の出力Ｓ１６０に接続されるとともに、該分割スイッチＳＷＲ１３７〜ＳＷＢ１４２それぞれのゲートが６本の分割スイッチラインＳＷＬ１４９、ＳＷＬ１５０、ＳＷＬ１５１、ＳＷＬ１５２、ＳＷＬ１５３、ＳＷＬ１５４それぞれに接続されている。
【０００７】
このような表示部１９５において、１本のゲートライン（Ｇ１９０あるいはＧ１９１）が選択された（ＯＮ）状態で上記分割スイッチＳＷＲ１３７〜ＳＷＲ１４８が順々にＯＮされることによってソースドライバ１７０からの出力（信号電位、Ｓ１６０あるいはＳ１６１）が画素電極ＰＲ１１３〜ＰＢ１２４に順々に書き込まれる。
【０００８】
以下に、上記表示部１９５の従来の駆動方法を図５および図６を用いて具体的に説明する。
【０００９】
図６は、全画面に均一な、例えば中間調を表示する際のブロック１５５についてのタイミングチャートである。同図は一水平期間（１行のゲートラインを走査する期間）をＴとしており、三水平期間（すなわち、ゲートラインＧ１９０、Ｇ１９１を含む３行分のゲートラインを走査する期間）について示したものである。
【００１０】
すなわち、時間Ｔの間にブロックＢ１５５の６つのソースラインＳＲ１０７〜ＳＢ１１２にソースドライバ１７０からの信号電位Ｓ１６１が順次送られることによってブロックＢ１５５の各画素電極ＰＲ１１９〜ＰＢ１２４に上記信号電位Ｓ１６１が順次書き込まれ、また、これと同期してブロックＢ１５４の画素電極ＰＲ１１３〜ＰＢ１１８には信号電位Ｓ１６０が書き込まれ、時間Ｔの間にゲートラインＧ１９１に繋がるすべての画素電極（ＰＲ１１３・・・）にソースドライバ１７０からの信号電位（Ｓ１６０、Ｓ１６１等）が書き込まれることになる。
【００１１】
なお、各ソースライン（ＳＲ１０７〜ＳＢ１１２）および画素電極（ＰＲ１１９〜ＰＢ１２４）に充電すべき信号電位はＳ１６１（図６の最上段に記載）のような駆動波形である。また、上記駆動方法においては、信号電位Ｓ１６１の極性は一水平期間Ｔ毎に反転する。
【００１２】
図５、図６に示すように、時間ｔ０でゲートラインＧ１９１が選択される（ＯＮする）のと同期して分割スイッチラインＳＷＬ１４９を介して分割スイッチＳＷＲ１４３にＯＮ信号が送られ、ソースドライバ１７０からの信号電位Ｓ１６１がソースラインＳＲ１０７に送られる。このとき、ソースラインＳＲ１０７の電位は１つ前の水平期間（例えばＧ１９０の走査期間）に送られた電位から極性が反転する。
【００１３】
そして、ソースラインＳＲ１０７に送られたソースドライバ１７０の信号電位Ｓ１６１は薄膜トランジスタ（ＴＲ１３１）のソース・ドレインを介して画素電極ＰＲ１１９に書き込まれる。
【００１４】
次に、時間ｔ１で分割スイッチＳＷＲ１４３がＯＦＦされるのと同期して、分割スイッチラインＳＷＬ１５０を介して分割スイッチＳＷＲ１４４にＯＮ信号が送られ、ソースドライバ１７０の信号電位Ｓ１６１がソースラインＳＧ１０８に送られる。ここでも、ソースラインＳＧ１０８の電位は１つ前の水平期間に送られた電位から極性が反転することになる。（つまり、時間ｔ０からｔ７における信号電位Ｓ１６１の極性を正とすれば、ソースラインＳＧ１０８の電位は負から正に極性が反転する。）
そして、ソースラインＳＧ１０８に送られたソースドライバ１７０からの信号電位Ｓ１６１が画素電極ＰＧ１２０に書き込まれる。
【００１５】
時間ｔ２では分割スイッチＳＷＧ１４４がＯＦＦされると同時に、分割スイッチＳＷＢ１４５にＯＮ信号が送られ、ソースドライバ１７０の信号電位Ｓ１６１（正の信号電位）がソースラインＳＢ１０９に送られる。そして、ソースラインＳＢ１０９に送られた信号電位Ｓ１６１が画素電極ＰＢ１２１に書き込まれる。
【００１６】
同様に、時間ｔ３〜ｔ５では、それぞれ画素電極ＰＲ１２２〜ＰＢ１２４に信号電位Ｓ１６１が書き込まれる。
【００１７】
しかしながら、上記駆動方法においては、ソースラインＳＲ１０１〜ＳＢ１１２間に存在する寄生容量によって各ソースラインＳＲ１０１〜ＳＢ１１２の電位が変動を受け、これによって画素電極ＰＲ１１３〜ＰＢ１２４に書き込まれた電位が変動してしまうという問題がある。なお、図７は上記ソースライン（ＳＲ１０１〜ＳＢ１１２）間に存在する寄生容量Ｃ２０１〜Ｃ２１１を模式的に示したものである。
【００１８】
例えば、ソースラインＳＲ１０７とＳＧ１０８とについて考えてみると、時間ｔ０で一つ前の水平期間に送られた負の電位から正の電位に極性が反転し、時間ｔ１まで画素電極ＰＲ１１９にソースドライバ１７０の信号電位Ｓ１６１が書き込まれる（充電される）が、この間、ソースラインＳＲ１０７の極性は正であるのに対し、１つ隣のソースラインＳＧ１０８の極性は一つ前の水平期間に送られた負の電位となっている。
【００１９】
ここで、時間ｔ１で分割スイッチＳＷＲ１４３がＯＦＦされた後に分割スイッチＳＷＧ１４４がＯＮとなり、ソースラインＳＧ１０８の極性が負から正に反転すると、ＳＲ１０７およびＳＧ１０８間の寄生容量（Ｃ２０７、図７参照）による電荷がソースラインＳＲ１０７および画素電極ＰＲ１１９に流れ、ソースライン１０７および画素電極ＰＲ１１９に書き込まれた電位が変動（突き上げ）を受ける。
【００２０】
また、時間ｔ２ではソースラインＳＧ１０８およびソースラインＳＢ１０９間の寄生容量Ｃ２０８（図７参照）による電荷がソースラインＳＧ１０８および画素電極ＰＧ１２０に流れ、該ソースラインＳＧ１０８および画素電極ＰＧ１２０に書き込まれた電位が変動（突き上げ）を受ける。同様に、時間ｔ３〜ｔ５ではソースラインＳＢ１０９〜ＳＧ１１１および画素電極ＰＢ１２１〜ＰＧ１２３が電位の変動（突き上げ）を受ける。
【００２１】
さらに、分割スイッチＳＷＢ１４８がＯＮとなる時間ｔ５ではブロック１５４のＳＷＢ１４２もＯＮとなる。このとき、ブロック１５５の分割スイッチＳＷＲ１４３はＯＦＦとなっているため、ソースラインＳＢ１０６の極性が負から正へ反転すると、ソースラインＳＢ１０６およびソースラインＳＲ１０７間の寄生容量Ｃ２０６（図７参照）による電荷がソースラインＳＲ１０７および画素電極ＰＲ１１９に流れ、該ソースラインＳＲ１０７および画素電極ＰＲ１１９に書き込まれた電位が再び（２回目の）突き上げを受ける。
【００２２】
図６には、上述の電位変動（突き上げ）の状態が模式的に示されている。なお、各ソースライン（ＳＲ１０７〜ＳＢ１１２）および画素電極（ＰＲ１１９〜ＰＢ１２４）の波形が積み重なっている部分が電位変動を示す部分である。
【００２３】
すなわち、時間ｔ１にソースラインＳＲ１０７（ＰＲ１１９）が１回目の突き上げを受け、同様に時間ｔ２にソースラインＳＧ１０８（画素電極ＰＧ１２０）、時間ｔ３にソースラインＳＢ１０９（画素電極ＰＢ１２１）、時間ｔ４にソースラインＳＲ１１０（画素電極ＰＲ１２２）が１回目の突き上げを受け、時間ｔ５にはソースラインＳＧ１１１（画素電極ＰＧ１２３）が１回目の突き上げを受けるとともにソースラインＳＲ１０７（画素電極ＰＲ１１９）が２回目の突き上げを受ける。
【００２４】
以上から、図５の各ブロック（Ｂ１５４、Ｂ１５５）において、１番最初に書き込まれる画素電極（ＰＲ１１３あるいはＰＲ１１９）には結果的に目的の電位から２回突き上げを受けた電位が書き込まれ、最後に書き込まれる画素電極（ＰＢ１１８あるいはＰＢ１２４）を除く他の画素電極（ＰＧ１１４〜ＰＲ１１６、ＰＧ１２０〜ＰＧ１２３）にも結果的に目的の電位から１回突き上げを受けた電位が書き込まれることがわかる。
【００２５】
これにより、ブロックごとに縦に（ソースラインに沿って）縞状のムラのある表示になってしまう。
【００２６】
上記のような問題につき、特許文献１には、Ｒ、Ｇ、Ｂの電圧透過率の差に着目する方法が開示されている。すなわち、３本の信号ラインを１ブロックとし（ソースドライバ１本の出力を３つに分割し）、最初（１番目）に選択される信号ラインを、電位上昇による輝度の変化が最も小さいＢとし、最後（３番目）に選択される信号ラインを、電位上昇による輝度の変化が最も大きいＲとする方法が開示されている。
【００２７】
これにより、信号ライン間の寄生容量による電位変動があっても、Ｒ、Ｇ、Ｂそれぞれの輝度の差を補完できるとともに、各色ごとの信号ラインの電位変動がほぼ同じとなるため、上記電位変動が強調されないようにすることができる。
【特許文献１】特開平１１−３３８４３８号公報（公開日：１９９９年１２月１０日）
【特許文献２】特開平１０−３９２７８号公報（公開日：１９９８年２月１３日）
【発明の開示】
【発明が解決しようとする課題】
【００２８】
しかしながら、特許文献１記載の方法は、信号ライン間の寄生容量に起因する各信号ラインの電位変動そのものを解消するものではなく、ソースドライバ１本の出力を３つに分割（時分割）し、Ｒ、Ｇ、Ｂの電圧透過率を考慮して各信号ラインに対応させる色を決定することによって上記電位変動による表示ムラを視認させにくくするものである。
【００２９】
すなわち、信号ラインの電位変動そのものを解消するものではないため、表示ムラがある程度改善されたとしてもおのずと限界がある。
【００３０】
さらに、Ｒ、Ｇ、Ｂ各色ごとの信号ラインの電位変動をほぼ同じにするにはソースドライバからの出力の分割（時分割）を３にしなければならず、加えて、時分割数を３としてブロック化した場合にも、１番目（最初）の信号ラインをＢ、３番目の信号ラインをＲとしなければならず、装置を設計する際の自由度を非常に低くしてしまう。
【００３１】
本発明の液晶表示装置の駆動方法は、上記課題を解決するためになされたものであり、その目的は、寄生容量に起因する各ソースラインの電位変動を抑制することで、表示ムラを大幅に抑制でき、また装置設計の際の自由度を高めることのできる液晶表示装置の駆動方法を提供する点にある。
【課題を解決するための手段】
【００３２】
本発明のデータラインの駆動方法は、上記課題を解決するため、複数のデータライン各々に出力手段からの出力を書き込むために、上記出力手段からの１本の出力を複数に分割して各データラインに対応させ、これらのデータラインを始端データラインから終端データラインまでの組とし、上記各組では、第１の所定期間内に、上記分割された出力の信号電位をスイッチによって選択した各データラインに与え、続く第２の所定期間内に、上記出力とは逆極性の信号電位をスイッチによって選択した各データラインに与えるデータラインの駆動方法であって、上記各所定期間に、上記各組が同期して、上記始端データラインから終端データラインまでの各データラインを順に選択する順次選択を行うとともに、上記終端データラインについては、この順次選択に加えて、始端データラインの選択状態をＯＦＦにする前にも選択しておくことを特徴としている。
【００３３】
また、本発明のデータラインの駆動方法においては、上記順次選択における各データラインの選択を、１ライン前に選択されたデータラインの選択状態をＯＦＦにする前に行うことが好ましい。
【００３４】
また、本発明のデータラインの駆動方法においては、上記順次選択に加えて行われる終端データラインの選択を、始端データラインの順次選択の前に行うことが好ましい。
【００３５】
また、本発明のデータラインの駆動方法においては、順次選択に加えて行われる終端データラインの選択を、始端データラインの順次選択と同期して行うことが好ましい。
【００３６】
また、本発明のデータラインの駆動方法においては、上記出力の信号電位の極性を所定期間毎に周期的に反転させても構わない。
【００３７】
また、本発明のデータラインの駆動方法においては、上記複数のデータラインは表示装置の各画素に対応して設けられたソースラインであり、上記出力手段は信号電位を出力するソースドライバであり、上記第１および第２の所定期間は一水平期間としても構わない。
【００３８】
本発明の表示装置は、上記課題を解決するために、複数のデータライン各々に出力手段からの出力を書き込むために、上記出力手段からの１本の出力を複数に分割して各データラインに対応させ、これらのデータラインを始端データラインから終端データラインまでの組とし、上記各組では、第１の所定期間内に、上記分割された出力の信号電位をスイッチによって選択した各データラインに与え、続く第２の所定期間内に、上記出力とは逆極性の信号電位をスイッチによって選択した各データラインに与えるデータラインの駆動方法であって、上記各所定期間に、上記各組が同期して、上記始端データラインから終端データラインまでの各データラインを順に選択する順次選択を行うとともに、上記終端データラインについては、この順次選択に加えて、始端データラインの選択状態をＯＦＦにする前にも選択しておくデータラインの駆動方法を用いたことを特徴としている。
【００３９】
本発明の液晶表示装置は、上記課題を解決するために、複数のソースライン各々にソースドライバからの出力を書き込むために、上記ソースドライバからの１本の出力を複数に分割して各ソースラインに対応させ、これらのソースラインを始端ソースラインから終端ソースラインまでの組とし、上記各組では、第１の水平期間内に、上記分割された出力の信号電位をスイッチによって選択した各ソースラインに与え、続く第２の水平期間内に、上記出力とは逆極性の信号電位をスイッチによって選択した各ソースラインに与えるソースラインの駆動方法であって、上記各水平期間に、上記各組が同期して、上記始端ソースラインから終端ソースラインまでの各ソースラインを順に選択する順次選択を行うとともに、上記終端ソースラインについては、この順次選択に加えて、始端ソースラインの選択状態をＯＦＦにする前にも選択しておくソースラインの駆動方法を用いたことを特徴としている。
【発明の効果】
【００４０】
本発明のデータラインの駆動方法は、以上のように、上記各所定期間に、上記各組が同期して、上記始端データラインから終端データラインまでの各データラインを順に選択する順次選択を行うとともに、上記終端データラインについては、この順次選択に加えて、始端データラインの選択状態をＯＦＦにする前にも選択しておくものである。
【００４１】
まず、上記方法においては、１本の出力に対応する組が始端データラインから終端データラインを有しており、隣接する２つの組同士においては、一方の組の始端データラインと他方の組の終端データラインとが互いに隣接するような関係ができる。
【００４２】
そして、上記方法によれば、各所定期間に、上記始端データラインから終端データラインまでを順に選択する順次選択に加えて、この順次選択で始端データラインがＯＦＦされるまでに終端データラインの選択（以後、適宜、初期選択と称する）を行っておくものである。すなわち、終端データラインは、各所定期間内に、まず初期選択ついで順次選択というように、２度選択されることになる。
【００４３】
したがって、第２の所定期間における１つの組の各データライン（以後、適宜、第１の始端データライン〜第１の終端データラインと称する）は以下のように駆動される。
【００４４】
まず、第１の始端データラインの順次選択の前あるいはその後に第１の終端データラインが初期選択される。この第１の終端データラインの初期選択は、第１の始端データラインの順次選択後これがＯＦＦされるまでに行われればよく、第１の始端データラインの選択（順次選択）より前であっても後であっても構わない。
【００４５】
この初期選択によって、第１の終端データラインに出力手段から信号電位が与えられる。この信号電位は第１の所定期間の順次選択時に与えられた信号電位（例えば、マイナス）とは逆極性であるため、上記第１の終端データラインの電位極性は反転（マイナスからプラスへ反転）する。また、この第１の終端データラインの選択に同期して、この組に隣接する組に属し、上記第１の始端データラインに隣接する終端データライン（以後、適宜、第２の終端データラインという）が選択され、出力手段からの信号電位が与えられる。これにより、第２の終端データラインの電位極性も反転（マイナスからプラスへ反転）する。
【００４６】
ここで、第１および第２の終端データラインの初期選択は、第１の始端データラインの選択（順次選択）状態をＯＦＦする前に行われるため、この初期選択時に第１の始端データラインが、第２の終端データラインとの間の寄生容量から電位変動を受けることはない。
【００４７】
第１の終端データラインの初期選択の後（上記のとおり初期選択前の場合もある）に、第１の始端データラインが選択（順次選択）される。この結果、第１の始端データラインに出力手段から信号電位が与えられる。その後、第１の終端データラインまで順に順次選択が行われる。
【００４８】
この第１の終端データラインが順次選択（２回目に選択）されるとき、第１の終端データラインは、初期選択（１回目の選択）によって極性が第１の所定期間から反転（プラスに反転）しており、順次選択（２回目の選択）時には極性が変化しない（プラスのまま維持される）。
【００４９】
この第１の終端データラインが順次選択（２回目に選択）されるとき、これと同期して上記の第２の終端データラインも順次選択（２回目に選択）される。この第２の終端データラインについても、初期選択（最初の選択）によって第１の始端データラインと同極性（プラス）になっており、順次選択（２回目の選択）時には極性が変化しない（プラスのまま維持される）。
【００５０】
なお、第１の終端データラインの順次選択（２回目の選択）により、この第１の終端データラインには、最終的に上記出力手段から所望の信号電位が与えられる。
【００５１】
上記のように各データラインが駆動されることで、以下の効果を得ることができる。
【００５２】
まず、各所定期間の最後の選択として第１および第２の終端データラインが順次選択（２回目の選択）されるとき、上記のとおり、第２の終端データラインの極性は、初期選択（１回目の選択）によって隣接する第１の始端データラインと同極性（プラス）になっており、極性は反転しない。ここで、ともに同極性である第２の終端データラインおよび第１の始端データライン間の電荷（寄生容量）は、両者が逆極性である場合に比較して無視できるほどに小さい。
【００５３】
したがって、第１の終端データラインが順次選択（２回目に選択）されるときに、第１の始端データラインが寄生容量からの電位変動を受けることを回避できる。
【００５４】
また、この第１および第２の終端データラインが順次選択されるとき、第１の終端データラインの極性は、初期選択（１回目の選択）によって隣接するデータライン（第１の終端データラインの１つ前のデータライン）と同極性（プラス）になっており、極性は反転しない。ここで、上記のとおり、ともに同極性である隣接データライン間の電荷（寄生容量）は、両者が逆極性である場合に比較して無視できるほどに小さい。
【００５５】
したがって、第１の終端データラインが順次選択されるときに、第１の終端データラインの１つ前のデータラインが、寄生容量からの電位変動を受けることを回避できる。
【００５６】
このように、上記方法によれば、図６に示される従来技術と比較して、始端データラインおよび終端データラインの１つ前のデータラインが寄生容量から受ける電位変動の回数を１度ずつ減少させることができる。
【００５７】
これにより、例えば、上記データラインを表示装置の各画素（画素電極）に信号電位を書き込むためのソースラインに用いた場合に、ソースラインに沿った縦方向の表示ムラ自体を抑制することができる。
【００５８】
また、終端データライン（寄生容量による電位変動を受けないデータライン）に隣接する始端データラインの電位変動が減少するため、上記データラインを表示装置のソースラインに用いた場合に、２回の電位変動を受けるソースラインと電位変動なしのソースラインとが隣接する従来技術（図６参照）と比較して、縦方向の表示ムラを視認させにくくする効果もある。
【００５９】
さらに、上記のように上記データラインを（カラー）表示装置のソースラインに用いた場合、特許文献１記載の従来技術のようにスイッチによる分割数を限定されることがなく、また、各データ（ソース）ラインに対応させる色の順序（例えばＲ、Ｇ、Ｂの順序）も自由であるため、上記従来技術に比較して、装置設計の際の自由度を高めることができる。
【００６０】
また、本発明のデータラインの駆動方法においては、上記方法に加え、順次選択における各データラインの選択を、１ライン前に選択されたデータラインの選択状態をＯＦＦにする前に行うことが好ましい。
【００６１】
上記方法によれば、各所定期間の順次選択において、各データライン（始端データライン〜終端データライン）がスイッチによって選択（ＯＮ）されたとき、１ライン前に選択されたデータライン（隣接データライン）はＯＮ状態であり、電気的フローティング状態とはなっていない。したがって、各データラインがスイッチによって選択（ＯＮ）され、第１の所定期間に書き込まれた信号電位から極性が反転しても、隣接データラインとの間の寄生容量による電荷を、隣接データラインの外部に逃すことが可能である。
【００６２】
この結果、上記寄生容量による電荷がフローティング状態の隣接データラインに流れ込み、該隣接データラインの電位を変動させるといった弊害を抑制することができる。すなわち、始端データライン〜終端データラインの各データラインは、その順次選択の際に、寄生容量からの電位変動をほとんど受けない。なお、上記したように、終端データラインの初期選択の際にも、各データライン（始端データライン等）は寄生容量からの電位変動を受けない。
【００６３】
以上から、上記方法によれば、各所定期間において、始端データライン〜終端データラインの各データラインは寄生容量からの電位変動をほとんど受けないことになる。
【００６４】
これにより、例えば、上記データラインを表示装置の各画素（画素電極）に信号電位を書き込むためのソースラインに用いた場合に、ソースラインに沿った縦方向の表示ムラを大幅に改善することができる。
【００６５】
また、本発明のデータラインの駆動方法においては、上記順次選択に加えて行われる終端データラインの選択（初期選択）を、始端データラインの順次選択前に行うことが好ましい。
【００６６】
上記方法によれば、終端データラインの初期選択時に、始端データラインはＯＦＦとなっている。すなわち、初期選択時前は両データラインともに同極性（第１の所定期間に与えられた信号電位の極性）となるため、この初期選択時に、始端データラインが寄生容量からの影響を受けることをより確実に回避することができる。
【００６７】
また、本発明のデータラインの駆動方法においては、順次選択に加えて行われる終端データラインの選択（初期選択）を、始端データラインの順次選択と同期させることが好ましい。
【００６８】
上記方法によれば、終端データラインの初期選択を始端データラインの順次選択より前に行う場合（終端データラインの初期選択と始端データラインの順次選択とをずらして行う場合）と比較して、始端データライン〜終端データラインの各データラインに信号電位を与えるための所定期間（第１および第２の所定期間）を短縮することができる。
【００６９】
また、本発明のデータラインの駆動方法においては、上記出力の信号電位の極性を所定期間毎に周期的に反転させることが好ましい。
【００７０】
この場合、各データライン（ソースライン）に書き込む信号電位の極性が所定期間毎に周期的に反転するような表示装置（例えば液晶表示装置）を駆動する際に上記方法を用いることが可能であり、上記のとおり、データライン（ソースライン）の電位変動を抑制することができる。
【００７１】
また、本発明のデータラインの駆動方法においては、上記データラインを液晶表示装置の各画素に対応して設けられたソースラインとし、上記出力手段を、信号電位を出力するソースドライバとし、上記第１および第２の所定期間を一水平期間とすることもできる。
【００７２】
まず、一水平期間とは、上記出力（信号電位）がすべてのソースラインに与えられるまでの期間をいう。
【００７３】
上記方法によれば、液晶表示装置において、寄生容量に起因するソースラインの電位変動そのものを抑制することができ、各ソースラインに目的の電位により近い信号電位を書き込むことができるため、ソースラインに沿った方向（縦方向）の表示ムラ等を大幅に改善することができる。
【００７４】
また、特許文献１記載の従来技術のようにスイッチによる分割数を限定されることがなく、また、各ソースラインに対応させる色の順序（例えばＲ、Ｇ、Ｂの順序）も自由であるため、上記従来技術に比較して、装置設計の際の自由度を高めることができる。
【発明を実施するための最良の形態】
【００７５】
図１に、本発明のデータ（ソース）ラインの駆動方法を用いた表示装置（表示部）のブロック図を示す。
【００７６】
駆動回路７５からシフトクロック信号やシフトスタート信号がゲートドライバ８５に入力され、ゲートドライバ８５の出力によって、表示部９５のゲートラインが順次アクセスされる。
【００７７】
また、駆動回路７５から、シフトクロック信号やシフトスタート信号がソースドライバ（出力手段）７０に入力されて、ソースドライバ７０から映像信号等（出力手段からの出力）の信号電位Ｓ６０、６１が出力される。これと同期して分割スイッチ回路８０にスイッチ信号が入力され、分割スイッチ回路８０の出力によって分割スイッチＳＷＲ３７〜ＳＷＢ４８（スイッチ）が順次ＯＮされ、ソースラインＳＲ１〜ＳＢ１２（データライン）が順次アクセスされる。
【００７８】
表示部９５には、複数行のゲートラインＧ９０、９１・・・と複数列のソースラインＳＲ１〜ＳＢ１２・・・とが表面にマトリクス状に配線され、例えば、ゲートラインＧ９１とソースラインＳＲ１〜ＳＢ１２との各交差点にスイッチング素子としての薄膜トランジスタＴＲ２５〜ＴＢ３６が形成されている。そして、各薄膜トランジスタＴＲ２５〜ＴＢ３６のゲートがゲートラインＧ９１に接続され、ソースがソースラインＳＲ１〜ＳＢ１２に接続され、ドレインが画素電極ＰＲ１３〜ＰＢ２４に接続されている。
【００７９】
なお、部材番号中のＲ、Ｇ、Ｂは赤、緑、青に対応しており、例えば、ＳＲは赤に対応するソースライン、ＰＲは赤に対応する画素電極、ＳＷＲは赤に対応する分割スイッチを意味しており、本実施の形態では各ブロック毎のソースライン（ブロックＢ５４ではＳＲ１〜ＳＢ６）の対応色がＲ、Ｇ、Ｂ、Ｒ、Ｇ、Ｂの順になっている。
【００８０】
さらに、上記ソースラインＳＲ１〜ＳＢ１２は６本ごとにブロック化（Ｂ５４・Ｂ５５、始端データライン〜終端データラインまでの組）され、それぞれのソースラインＳＲ１〜ＳＢ１２に設けられたトランジスタ等の分割スイッチＳＷＲ３７〜ＳＷＢ４８を介して上記ブロック毎にソースドライバ７０からの出力Ｓ６０、Ｓ６１に接続されている。
【００８１】
例えば、ブロックＢ５４においては、６本のソースラインＳＲ１（始端データライン）、ＳＧ２、ＳＢ３、ＳＲ４、ＳＧ５、ＳＢ６（終端データライン）それぞれが分割スイッチＳＷＲ３７、ＳＷＧ３８、ＳＷＢ３９、ＳＷＲ４０、ＳＷＧ４１、ＳＷＢ４２のドレインに接続されている。そして、上記分割スイッチＳＷＲ３７〜ＳＷＢ４２それぞれのソースがブロックＢ５４に対応するソースドライバ７０からの出力Ｓ６０に接続されるとともに、該分割スイッチＳＷＲ３７〜ＳＷＢ４２それぞれのゲートが６本の分割スイッチラインＳＷＬ４９、ＳＷＬ５０、ＳＷＬ５１、ＳＷＬ５２、ＳＷＬ５３、ＳＷＬ５４それぞれに接続されている。
【００８２】
以下に、上記した表示部９５の駆動について詳細に説明する。
【００８３】
〔実施の形態１〕
本発明を実施するための一形態を図１および図２に基づいて説明すれば以下の通りである。
【００８４】
図２は、全画面に均一な、例えば中間調を表示する際のブロックＢ５５についてのタイミングチャートである。同図は一水平期間（１行のゲートラインを走査する期間）をＴとしており、三水平期間（すなわち、ゲートラインＧ９０、Ｇ９１を含む３行分のゲートラインを走査する期間）について示したものである。
【００８５】
すなわち、時間Ｔの間にブロックＢ５５の６つのソースラインＳＲ７（始端データライン、第１の始端データライン）〜ＳＢ１２（終端データライン、第１の終端データライン）にソースドライバ７０からの信号電位Ｓ６１が送られることによってブロックＢ５５の各画素電極（ＰＲ１９〜ＰＢ２４）に上記信号電位Ｓ６１が書き込まれ、また、これと同期してブロックＢ５４の画素電極（ＰＲ１３〜ＰＢ１８）には信号電位Ｓ６０が書き込まれ、時間Ｔの間にゲートラインＧ９１に繋がるすべての画素電極（ＰＲ１３・・・）にソースドライバ７０からの信号電位（Ｓ６０、Ｓ６１等）が書き込まれることになる。
【００８６】
なお、各ソースラインＳＲ７〜ＳＢ１２および画素電極ＰＲ１９〜ＰＢ２４に充電すべき信号電位は図２おけるＳ６１のような駆動波形である。また、本実施の形態における駆動方法においては、信号電位Ｓ６１の極性は一水平期間（第１および第２の所定期間）Ｔ毎に反転する。
【００８７】
図１および図２に示すように、時間ｔ０でゲートラインＧ９１が選択（ＯＮ）される。これと同期して、分割スイッチラインＳＷＬ５４を介して分割スイッチＳＷＢ４８にＯＮ信号が送られ（終端データラインの初期選択）、ソースドライバ７０からの信号電位Ｓ６１がソースラインＳＢ１２に送られる。このとき、ソースラインＳＢ１２の電位極性は１つ前の水平期間（例えばＧ９０の走査期間）に送られた信号電位の極性から反転（−から＋へ反転）する。そして、ソースラインＳＢ１２に送られたソースドライバ７０の信号電位Ｓ６１は薄膜トランジスタＴＢ３６のソース・ドレインを介して画素電極ＰＢ２４に書き込まれる。
【００８８】
次に、時間ｔ１で分割スイッチＳＷＢ４８がＯＦＦされると同時に、分割スイッチラインＳＷＬ４９を介して分割スイッチＳＷＲ４３にＯＮ信号が送られ（始端データラインの順次選択）、ソースドライバ７０の信号電位Ｓ６１がソースラインＳＲ７に送られる。ここで、ソースラインＳＲ７の電位極性は、１つ前の水平期間に送られた電位極性から反転（−から＋へ反転）することになる。そして、ソースラインＳＲ７に送られたソースドライバ７０からの信号電位Ｓ６１が画素電極ＰＲ１９に書き込まれる。
【００８９】
次に、時間ｔ２で分割スイッチＳＷＲ４３がＯＦＦされると同時に、分割スイッチラインＳＷＬ５０を介して分割スイッチＳＷＧ４４にＯＮ信号が送られ、ソースドライバ７０の信号電位Ｓ６１がソースラインＳＧ８に送られる。ここで、ソースラインＳＧ８の電位極性は、１つ前の水平期間に送られた電位極性から反転する（−から＋へ反転）。そして、このソースラインＳＧ８に送られたソースドライバ７０からの信号電位Ｓ６１が画素電極ＰＧ２０に書き込まれる。
【００９０】
同様に、時間ｔ３〜ｔ５では、それぞれ画素電極ＰＢ２１〜ＰＧ２３に信号電位Ｓ６１が書き込まれる。
【００９１】
そして、時間ｔ６で、分割スイッチＳＷＧ４７がＯＦＦされると同時に、分割スイッチラインＳＷＬ５４を介して分割スイッチＳＷＢ４８にＯＮ信号が送られ（終端データラインの順次選択）、ソースドライバ７０の信号電位Ｓ６１がソースラインＳＢ１２に送られる。ここで、ソースラインＳＢ１２の極性は、時間ｔ０で選択（オン）されたときに（＋）へ反転しているため、ここではその極性（＋）自体は変化せず、ソースラインＳＢ１２および画素電極ＰＢ２４の電位が、ソースドライバ７０から送られた信号電位Ｓ６１によって新たに書き換えられることになる。なお、ソースラインＳＢ１２および画素電極ＰＢ２４は、時間ｔ０でのＯＮの後、時間ｔ１およびｔ５で電位の突き上げを受けるが、ここ時間ｔ６で所望の電位に書き換えられるため、ゲートラインＧ９１が非選択状態になる時間ｔ７’後は、所望の電位のまま維持される。）
なお、時間ｔ７’以降はゲートラインＧ９１がＯＦＦされるため、画素電極ＰＲ１９〜ＰＲ２４は、書き込まれた信号電位を維持する（なお、時間ｔ７’における各画素電極での若干の電位変動は、ゲートラインＧ９１をＯＦＦにしたことによる一般的な現象である）。
【００９２】
ここで、上記の駆動方法においては、従来の駆動方法（図６参照）と比較して、各ソースライン間の寄生容量に起因するソースラインＳＲ７およびソースラインＳＧ１１の電位変動を抑制でき、これによって画素電極ＰＲ１９およびＰＧ２３の電位変動を抑制できる。これを以下に詳細に説明する。なお、図４は表示部９５の各ソースラインＳＲ１〜ＳＢ１２間に存在する寄生容量（Ｃ１０１〜Ｃ１１１）を模式的に説明するものである。
【００９３】
まず、ソースラインＳＲ７について説明する。時間ｔ６で分割スイッチＳＷＢ４８がＯＮされるが、これと同期して、隣のブロックＢ５４では、分割スイッチＳＷＢ４２がオンされる。上記したように、ブロックＢ５４においても、ソースラインＳＢ６（終端データライン、第２の終端データライン）の極性は時間ｔ１で選択（オン）されたときに（＋）へ反転しているため、ここではその極性（＋）自体は変化せず、隣接するソースラインＳＲ７と同じ極性（＋）が維持される。
【００９４】
ここで、互いに同極性であるソースラインＳＢ６およびＳＲ７間の寄生容量は無視できるほどに小さいため、分割スイッチＳＷＢ４２（ＳＷＢ４８）がＯＮされる時間ｔ６において、ソースラインＳＢ６に隣接するソースラインＳＲ７（およびこれに繋がる画素電極ＰＲ１９）が、両ソースライン間の寄生容量（寄生容量Ｃ１０６、図４参照）に起因する電位変動を受けることがない。
【００９５】
なお、従来のように、ソースラインＳＢ６の極性が（−）から（＋）に反転した場合には、互いに極性の異なるソースラインＳＢ６・ＳＧ７間に溜まった電荷がソースラインＳＲ７に飛び込み、ソースラインＳＧ７および画素電極ＰＲ１９は電位の反動を受けてしまう（従来技術、図６の時間ｔ５を参照）。
【００９６】
次に、ソースラインＳＧ１１について説明する。時間ｔ６で分割スイッチＳＷＢ４８がＯＮされるが、上記のように、ここではソースラインＳＢ１２の極性（＋）自体は変化せず、隣接するソースラインＳＧ１１と同じ極性（＋）が維持される。
【００９７】
ここで、互いに同極性であるソースラインＳＧ１１およびＳＢ１２間の寄生容量は無視できるほどに小さいため、時間ｔ６において、ソースラインＳＢ１２に隣接するソースラインＳＧ１１が、両ソースライン間の寄生容量（寄生容量Ｃ１１１、図４参照）による電位変動を受けることがない。
【００９８】
なお、従来のように、ここでソースラインＳＢ１２の極性が（−）から（＋）に反転した場合には、互いに極性の異なるソースラインＳＧ１１・ＳＢ１２間に溜まった電荷がソースラインＳＧ１１に飛び込み、ソースラインＳＧ１１および画素電極ＰＧ２３は電位の反動を受けてしまう（従来技術、図６の時間ｔ５を参照）。
【００９９】
図２には、この電位変動（突き上げ）の抑制効果が模式的に示されている。各ソースライン（ＳＲ７〜ＳＢ１２）および画素電極（ＰＲ１９〜ＰＢ２４）の波形が積み重なっている部分が電位変動を示す部分である。同図にも示されるように、一水平期間が終了する時間ｔ８において、ソースラインＳＲ７〜ＳＧ１０には、それぞれ１回の電位変動を受けた後の電位、ソースラインＳＧ１１とソースラインＳＢ１２には、電位変動を受けていない電位が書き込まれている。
【０１００】
なお、ソースラインＳＲ７〜ＳＧ１０の受ける１回の電位変動の説明は以下の通りである。例えば、分割スイッチＳＷＧ４４がＯＮとなる時間ｔ２において、ソースラインＳＧ８の電位極性は、１つ前の水平期間に送られた電位極性から反転（−から＋へ反転）する。
【０１０１】
すなわち、互いに極性の異なるソースラインＳＲ７（＋）・ＳＧ８（−）間に溜まった電荷（寄生容量Ｃ１０７、図４参照）が、ソースラインＳＧ８の極性が（＋）に反転することによってソースラインＳＲ７に飛び込み、ソースラインＳＧ７および画素電極ＰＲ１９が電位変動を受けるのである。時間ｔ３〜ｔ５における、ＳＧ８〜ＳＧ１０の電位変動についても同様である。
【０１０２】
以上から、本実施の形態（図２参照）の駆動方法においては、各ブロック（Ｂ５４、Ｂ５５）において、最後に書き込まれる画素電極とその１つ前に書き込まれる画素電極（ＰＢ１８およびＰＧ１７、ＰＢ２４およびＰＧ２３）には電位変動を受けない電位が書き込まれ、それ以外の画素電極（最初に書き込まれる画素電極ＰＲ１３から画素電極ＰＲ１６まで、画素電極ＰＲ１９から画素電極ＰＲ２２）には、電位変動を１回だけ受けた電位が書き込まれることがわかる。
【０１０３】
したがって、従来の駆動方法（図６参照）と比較して、ソースラインＳＲ７およびＳＧ１１の電位変動を抑制でき、画素電極ＰＲ１９およびＰＧ２３の電位変動を抑制できる。これにより、より目的の電位に近い信号電位を画素電極（ＰＲ１３・・・）に書き込むことができ、表示部９５におけるソースラインに沿った縦方向の表示ムラ自体（いわば濃淡）を減少させることができる。
【０１０４】
加えて、互いに隣接する、ソースラインＳＢ６（第１の終端データライン）とソースラインＳＲ７（第２の始端データライン）とは、突き上げを受けないソースラインと１回だけ突き上げを受けるソースラインとなる。これにより、図６に示される従来の駆動方法のように２回突き上げと突き上げなしのソースラインとが隣接してしまうことを回避でき、表示部９５におけるソースラインに沿った縦方向の表示ムラを視認させにくくする効果もある。
【０１０５】
また、上記特許文献１に記載された方法と比較すると、ソースドライバ７０からの出力の分割（時分割）も３に限られることはなく、本実施の形態における６分割やそれ以外の分割数も可能であり、ソースドライバ７０の出力（Ｓ６０、Ｓ６１）本数を大幅に減少させることも可能である（本実施の形態の場合、ソースドライバ７０の出力の本数は、時分割を用いない場合の１／６にできる）。また、ソースライン（ＳＲ１・・・）に対応させる色（Ｒ、Ｇ、Ｂ）の順序が限定されないため、設計上の自由度も高い。
【０１０６】
また、本実施の形態におけるソースライン（ＳＲ１・・・）の駆動方法は、上記のように、スイッチ（分割スイッチＳＷＲ３７・・・）によってソースドライバ７０からの出力（Ｓ６０・・・）を分割しつつ、ソースライン（ＳＲ１・・・）を順次駆動するものであるため、ドライバ７０から引き出される配線を少なくすることができる。すなわち、本発明の駆動方法は、特に、外形および配線ピッチに制約がある中小型の高解像度パネル（例えば、液晶パネル）への適用において、より一層効果的である（パネルの小型化とともに、ソースライン駆動の安定化、高品位の表示が可能となる）。
【０１０７】
〔実施の形態２〕
本発明を実施するための他の形態を図１および図３に基づいて説明すれば以下の通りである。
【０１０８】
図３は、全画面に均一な、例えば中間調を表示する際のブロックＢ５５（図１参照）についてのタイミングチャートである。同図は一水平期間（１行のゲートラインを走査する期間）をＴとしており、三水平期間（すなわち、ゲートラインＧ９０、Ｇ９１を含む３行分のゲートラインを走査する期間）について示したものである。
【０１０９】
すなわち、時間Ｔの間にブロックＢ５５の６つのソースラインＳＲ７〜ＳＢ１２にソースドライバ７０からの信号電位Ｓ６１が送られることによってブロックＢ５５の各画素電極（ＰＲ１９〜ＰＢ２４）に上記信号電位Ｓ６１が書き込まれ、また、これと同期してブロックＢ５４の画素電極（ＰＲ１３〜ＰＢ１８）には信号電位Ｓ６０が書き込まれ、時間Ｔの間にゲートラインＧ９１に繋がるすべての画素電極（ＰＲ１３・・・）にソースドライバ７０からの信号電位（Ｓ６０、Ｓ６１等）が書き込まれることになる。
【０１１０】
なお、各ソースラインＳＲ７〜ＳＢ１２および画素電極ＰＲ１９〜ＰＢ２４に充電すべき信号電位は図３おけるＳ６１のような駆動波形である。また、本実施の形態における駆動方法においては、信号電位Ｓ６１の極性は一水平期間Ｔ毎に反転する。
【０１１１】
図１および図３に示すように、時間ｔ０でゲートラインＧ９１が選択（ＯＮ）される。これと同期して、分割スイッチラインＳＷＬ４９を介して分割スイッチＳＷＲ４３にＯＮ信号が送られる（始端データラインであるソースラインＳＲ７の順次選択）とともに、分割スイッチラインＳＷＬ５４を介して分割スイッチＳＷＢ４８にＯＮ信号が送られる（終端データラインであるソースラインＳＢ１２の初期選択）。この結果、ソースドライバ７０からの信号電位Ｓ６１がソースラインＳＲ７およびソースラインＳＢ１２に送られる。
【０１１２】
このとき、ソースラインＳＲ７およびＳＢ１２の電位極性は、１つ前の水平期間（例えばＧ９０の走査期間）に送られた信号電位の極性（−）から（＋へ）反転する。そして、ソースラインＳＲ７に送られた信号電位Ｓ６１は薄膜トランジスタＴＲ３１のソース・ドレインを介して画素電極ＰＲ１９に書き込まれ、ソースラインＳＢ１２に送られた信号電位Ｓ６１は薄膜トランジスタＴＢ３６のソース・ドレインを介して画素電極ＰＢ２４に書き込まれる。
【０１１３】
次に、分割スイッチＳＷＲ４３がＯＦＦされる時間（ｔ１）より前の時間ｔ１’に、分割スイッチラインＳＷＬ５０を介して分割スイッチＳＷＧ４４にＯＮ信号が送られ、ソースドライバ７０の信号電位Ｓ６１がソースラインＳＧ８に送られる（ソースラインＳＧ８の順次選択）。すなわち、１ライン前に選択されたソースラインＳＲ７の選択状態をＯＦＦする前にソースラインＳＧ８の選択を行うのである。
【０１１４】
なお、ここでも、ソースラインＳＧ８の電位極性は、１つ前の水平期間に送られた信号電位の極性（−）から（＋へ）反転する。そして、ソースラインＳＧ８に送られたソースドライバ７０からの信号電位Ｓ６１が画素電極ＰＧ２０に書き込まれる。
【０１１５】
次に、分割スイッチＳＷＧ４４がＯＦＦされる時間（ｔ２）より前の時間ｔ２’に、分割スイッチラインＳＷＬ５１を介して分割スイッチＳＷＢ４５にＯＮ信号が送られ（ソースラインＳＢ９の順次選択）、ソースドライバ７０の信号電位Ｓ６１がソースラインＳＢ９に送られる。すなわち、１ライン前に選択されたソースラインＳＧ８の選択状態をＯＦＦする前にソースラインＳＢ９の選択を行うのである。そして、このソースラインＳＢ９に送られたソースドライバ７０からの信号電位Ｓ６１が画素電極ＰＢ２１に書き込まれる。
【０１１６】
同様に、時間ｔ３’、時間ｔ４’では、それぞれソースラインＳＲ１０およびＳＧ１１、にソースドライバ７０からの信号電位Ｓ６１が送られ、これに伴ってそれぞれ画素電極ＰＲ２２、ＰＧ２３に信号電位Ｓ６１が書き込まれる。
【０１１７】
そして、分割スイッチＳＷＧ４７がＯＦＦされる時間（ｔ５）より前の時間ｔ５’に、分割スイッチラインＳＷＬ５４を介して分割スイッチＳＷＢ４８にＯＮ信号が送られ（終端データラインであるソースラインＳＢ１２の順次選択）、ソースドライバ７０の信号電位Ｓ６１がソースラインＳＢ１２に送られる。なお、ソースラインＳＢ１２の極性は時間ｔ０で選択（ＯＮ）されたとき（終端データラインの初期選択）に（＋）へ反転しているため、ここではその極性（＋）自体は変化せず、ソースラインＳＢ１２および画素電極ＰＢ２４の電位が、ソースドライバ７０から送られた信号電位Ｓ６１によって新たに書き換えられる。（ソースラインＳＢ１２および画素電極ＰＢ２４は、時間ｔ０でのＯＮの後、時間ｔ４’で電位の突き上げを受けるが、この時間ｔ５’で所望の電位に書き換えられるため、ゲートラインＧ９１が非選択状態になる時間ｔ７以後は、所望の電位のまま維持される。）
なお、時間ｔ７’以降はゲートラインＧ９１がＯＦＦされるため、画素電極ＰＲ１９〜ＰＲ２４は、書き込まれた信号電位を維持する（なお、時間ｔ７’における各画素電極での若干の電位変動は、ゲートラインＧ９１をＯＦＦにしたことによる一般的な現象である）。
【０１１８】
ここで、本実施の形態の駆動方法においては、各ソースライン（ＳＲ６〜ＳＢ１２）間に存在する寄生容量によって各ソースラインＳＲ７〜ＳＢ１２の電位が変動を受けるのを抑制でき、これによって画素電極ＰＲ１９〜ＰＢ２４に書き込まれた電位が変動するのを抑制できる。これを以下に説明する。なお、上記のとおり図４は表示部９５の各ソースライン（ＳＲ１〜ＳＢ１２）間に存在する寄生容量Ｃ１０１〜Ｃ１１１を模式的に説明するものである。
【０１１９】
まず、始端データラインであるソースラインＳＲ７について説明する。ソースラインＳＲ７に隣接するソースラインが選択（ＯＮ）されるのは、ソースラインＳＧ８が選択される時間ｔ１’とソースラインＳＢ６が選択される時間ｔ５’である。
【０１２０】
時間ｔ１’においては、ソースラインＳＧ８が選択され、上記のとおり、ソースラインＳＧ８の電位極性は、１つ前の水平期間に送られた信号電位の極性（−）から（＋へ）反転する。本実施の形態では、この時間ｔ１’において、１ライン前のソースラインＳＲ７に接続された分割スイッチＳＷＲ４３はＯＮされた状態にある。したがって、時間ｔ０〜ｔ１’に互いに極性の異なるソースラインＳＲ７（＋）・ＳＧ８（−）間に電荷が溜まり（寄生容量Ｃ１０７）、かつ時間ｔ１’にソースラインＳＧ８の極性が（＋）に反転しても、上記電荷（寄生容量による電荷）は、ソースラインＳＲ７に飛び込むことなく、外部に逃れることが可能になる。
【０１２１】
これにより、上記従来の方法（図６参照）あるいは上記実施の形態１に比較して、ソースラインＳＲ７およびＳＧ８間の寄生容量Ｃ１０７（図４参照）による電荷がソースラインＳＲ７および画素電極ＰＲ１９に飛び込み、画素電極ＰＲ１９に書き込まれた電位が変動（突き上げ）を受けるのを抑制できる。
【０１２２】
さらに時間ｔ５’においては、分割スイッチＳＷＢ４８がオンされるが、これと同期して、隣のブロックＢ５４では、分割スイッチＳＷＢ４２がオンされる。上記したように、ブロックＢ５４においても、ソースラインＳＢ６の極性は時間ｔ０で選択（ＯＮ）されたときに（＋）へ反転しているため、ここではその極性（＋）自体は変化せず、隣接するソースラインＳＲ７と同じ極性（＋）が維持される。すなわち、時間ｔ５’以前のソースラインＳＢ６（＋）・ＳＲ７（＋）間の電荷の溜まり（寄生容量）は、ほとんどない（無視できる程度）と考えられる。
【０１２３】
したがって、時間ｔ５’で分割スイッチＳＷＢ４２（ＳＷＢ４８）がＯＮされても、ソースラインＳＢ６に隣接するソースラインＳＲ７（およびこれに繋がる画素電極ＰＲ１９）が、電位変動を受けることがほとんどない。なお、従来のように、ここでソースラインＳＢ６の極性が（−）から（＋）に反転した場合には、互いに極性の異なるソースラインＳＢ６・ＳＧ７間に溜まった電荷がソースラインＳＲ７に飛び込み、ソースラインＳＧ７および画素電極ＰＲ１９は電位の反動を受けてしまう（図６の時間ｔ５を参照）。
【０１２４】
以上のように、本実施の形態においては、上記従来の方法（図６参照）あるいは実施の形態１と異なり、ソースラインＳＲ７およびＳＧ８間の寄生容量Ｃ１０７の影響のみならず、ソースラインＳＢ６およびＳＲ７間の寄生容量Ｃ１０６の影響もうけず、したがって、ソースラインＳＲ７および画素電極ＰＲ１９には、時間ｔ７’以後、電位変動を受けていない電位（所望の信号電位）が書き込まれる。
【０１２５】
また、ソースラインＳＧ８についても、時間ｔ２’でソースラインＳＢ９の極性が（−）から（＋）に反転しても、分割スイッチＳＷＧ４４がＯＮ（開いた）状態であるため、ソースラインＳＧ８およびソースラインＳＢ９間の寄生容量１０８（図４参照）による電荷がソースラインＳＧ８および画素電極ＰＧ２０に流れ込むのを抑制でき、画素電極ＰＧ２０に書き込まれた電位が変動（突き上げ）を受けるのを抑制できる。
【０１２６】
ソースラインＳＢ９、ＳＲ１０についてもソースラインＳＧ８の場合と同様であり、それぞれ、寄生容量１０９、１１０（図４参照）による電荷がソースラインＳＢ９、ＳＲ１０および画素電極ＰＢ２１、ＰＲ２２に流れ込むのを抑制でき、当該画素電極ＰＢ２１、ＰＲ２２に書き込まれた電位が変動（突き上げ）を受けるのを抑制できる。
【０１２７】
また、ソースラインＳＧ１１については、時間ｔ５’に、ソースラインＳＢ１２が選択されても、このソースラインＳＢ１２の極性は、時間ｔ０で選択されたときに既に（＋）へ反転しているため、ここではその極性（＋）自体は変化せず、隣接するソースラインＳＧ１１と同じ極性（＋）が維持される。すなわち、時間ｔ５’以前のソースラインＳＧ１１（＋）・ＳＢ１２（＋）間の電荷の溜まり（寄生容量）は、ほとんどないと考えられる。したがって、時間ｔ５’で分割スイッチＳＷＢ４８がオンされても、ソースラインＳＧ１１（およびこれに繋がる画素電極ＰＧ２３）が、電位変動を受けることはない。
【０１２８】
なお、ソースラインＳＢ１２については、時間ｔ０でのオンの後、時間ｔ４’で電位の突き上げを受けるが、時間ｔ５’において順次選択されたときに、所望の電位に書き換えられるため、ゲートラインＧ９１が非選択状態になる時間ｔ７’以後は、所望の電位のまま維持される。）
図３には、上記した、本実施の形態における電位変動（突き上げ）の抑制効果が模式的に示されている。各ソースライン（ＳＲ７〜ＳＢ１２）および画素電極（ＰＲ１９〜ＰＢ２４）の波形が積み重なっている部分が電位変動を示す部分である。
【０１２９】
図３に示されるように、ブロックＢ５５（図１参照）において、一水平期間ｔ０〜ｔ７後（ゲートラインＧ９１が非選択状態になる時間ｔ７以後）、すべての画素電極（ＰＲ１９〜ＰＢ２４）には、電位変動（突き上げ）を受けない電位（所望の信号電位）が書き込まれている。
【０１３０】
以上から、本実施の形態（図３参照）の駆動方法を用いると、各ブロック（Ｂ５４、Ｂ５５）のすべての画素電極（ＰＲ１３〜ＰＢ１８あるいはＰＲ１９〜ＰＢ２４）が、一水平期間後（時間ｔ７以後のゲートラインＧ９１の非選択期間）に、所望の信号電位が書き込まれた状態になることがわかる。
【０１３１】
また上記方法では、一度全ての分割スイッチＳＷＲ３７〜ＳＷＢ４８（ソースラインＳＲ１〜ＳＢ１２）をＯＮにした後に、各ソースライン（ＳＲ７・・・）に目的の電位を書き込む方法に比較して、駆動回路７５（図１参照）や分割スイッチ回路８０等への負荷を少なくしつつ、各ソースライン（ＳＲ１・・・）に所望の電位を書き込むことができる。
【０１３２】
これにより、図６に示すような従来の方法と比較して、画素電極（ＰＲ１３・・・）に、より所望の電位に近い信号電位を書き込むことができるため、表示部９５の全体で電位変動の影響を大幅に抑制することができる。この結果、縦縞状の表示ムラを大幅に改善することができる。
【０１３３】
さらに、上記特許文献１に記載された方法と比較しても、ソースドライバ７０からの出力の分割（時分割）も３に限られることはなく、本実施の形態における６分割やそれ以外の分割数も可能であり、ソースドライバ７０の出力（Ｓ６０、Ｓ６１）本数を大幅に減少させることも可能である（本実施の形態の場合、ソースドライバ７０の出力の本数は、時分割を用いない場合の１／６にできる）。また、ソースライン（ＳＲ１・・・）に対応させる色（Ｒ、Ｇ、Ｂ）の順序が限定されないため、設計上の自由度も高い。
【０１３４】
また、本発明のデータライン（ソースライン）の駆動方法は、上記のように、スイッチ（分割スイッチＳＷＲ３７・・・）によってソースドライバ７０からの出力（Ｓ６０・・・）を分割しつつ、ソースライン（ＳＲ１・・・）を順次駆動するものであるため、ドライバ７０から引き出される配線を少なくすることができる。すなわち、本発明の駆動方法は、特に、外形および配線ピッチに制約がある中小型の高解像度パネル（例えば、液晶パネル）への適用において、より一層効果的である（パネルの小型化とともに、ソースライン駆動の安定化、高品位の表示が可能となる）。
【０１３５】
なお、上記実施の形態２においては、時間ｔ０で分割スイッチＳＷＢ４８にＯＮ信号を送り、ソースラインＳＢ１２の選択（終端データラインの初期選択）を行っているが、この選択を行うべき時間は、時間ｔ０（すなわち、始端データラインたるソースラインＳＲ７の順次選択と同期する時間）に限定されない。
【０１３６】
このソースラインＳＢ１２についての順次選択に加えた（順次選択時より前の）選択は、ソースラインＳＲ７がＯＦＦされる時間ｔ１までに行われればよく、例えば、時間ｔ１’（ソースラインＳＧ８が選択される時間）から時間ｔ１（ソースラインＳＲ７がＯＦＦされる時間）の間の時間Ｔ１’に行うことも可能である（ＯＦＦするのは順次選択される時間ｔ５’までの所定の時間）。
【０１３７】
このような場合、時間ｔ０でソースラインＳＲ７の電位極性が（＋）に反転し、これから時間Ｔ１’までの間は、ソースラインＳＢ６の極性が一水平期間前に送られた（−）になり、ソースラインＳＲ７の極性が（＋）となり、両ソースライン間の電荷（寄生容量）は無視できない。しかし、時間Ｔ１’にソースラインＳＢ６（ＳＢ１２）が選択され、その極性が（−）から（＋）に反転しても、時間Ｔ１’には、分割スイッチＳＷＲ４３が開き、ソースラインＳＲ７が選択（オン）状態であるため、上記電荷がソースラインＳＲ７、画素電極ＰＲ１９に飛び込むのを抑制できる（外部に逃がすことができる）。
【０１３８】
ただ、この場合には、ソースラインＳＢ６を選択する時間Ｔ１と、ソースラインＳＧ８を選択する時間ｔ１’とが密接し、ソースラインＳＧ７の両側のソースラインをほぼ連続してＯＮさせることになるため、ソースラインＳＲ７（画素電極ＰＲ１９）が寄生容量（Ｃ１０６・１０７）の影響を受けやすくなる。
【０１３９】
したがって、このソースラインＳＢ１２についての初期選択は、ソースラインＳＲ７がＯＦＦされる時間ｔ１よりある程度前（例えば、本実施の形態のように時間ｔ０）に行われることが好ましい。
【０１４０】
さらに、上記実施の形態２では、始端データラインであるソースラインＳＲ７より前に、ソースラインＳＢ１２を選択しても構わない。例えば、ゲートラインＧ９１がＯＮされるのと同期して、あるいはその後に、終端データラインであるソースラインＳＢ１２をまず選択し、その後、始端データライン（ソースラインＳＲ７）から終端データライン（ソースラインＳＢ１２）に対し順次選択を行っても構わない。
【０１４１】
なお、上記実施の形態１、２ではソースドライバ７０からの出力１本を６つの分割スイッチ（例えば、ブロックＢ５４においてＳＷＲ３７〜ＳＷＢ４２）で分割し６本のソースライン（例えば、ブロックＢ５４においてＳＲ１〜ＳＢ６）を駆動する場合を説明しているが、これに限定されることはない。ソースドライバからの１本の出力を所定のスイッチで分割し、複数本のソースラインを駆動する構成であればよい。
【０１４２】
また、各ソースライン（ＳＲ１、ＳＧ２、ＳＢ３、・・・）に対応する色をＲ、Ｇ、Ｂの順としたが、これに限定されない。例えば、各ブロックにおいて最初に書き込まれるソースラインをＢ（青）に対応させることも可能である。
【０１４３】
さらに、上記各ソースライン（ＳＲ２、ＳＧ２、ＳＢ３、・・・ＳＢ１２）が選択されてから上記１ライン前に選択されたデータライン（ＳＲ１、ＳＧ２、ＳＢ３、・・・ＳＧ１１）の選択状態をＯＦＦにするまでの時間（オーバーラップ時間）は、各ソースラインを選択する際の遅延時間（例えば、ＳＷＬ４９〜５４の配線抵抗等に起因する分割スイッチＳＷＲ３７・・・へのＯＮ信号等の遅延時間）に基づいて決定されていてもよい。
【０１４４】
なお、本発明の方法は、ソースドライバ７０からの出力１本（Ｓ６１・・・）をスイッチ（ＳＷＲ４３・・・）で複数に分割することにより、複数のソースライン（ＳＲ７・・・）を駆動し、かつ一水平期間Ｔごとに液晶に印加する電圧の極性を反転させる駆動方法において、ＳＷＢ４８，ＳＷＲ４３，ＳＷＧ４４・・・ＳＷＢ４８の順でスイッチをＯＮにすることを特徴とする駆動方法ともいえる。
【０１４５】
また、本発明の液晶表示装置は、ソースドライバ７０からの出力１本（Ｓ６１・・・）をスイッチ（ＳＷＲ４３・・・）で複数に分割することにより、複数のソースライン（ＳＲ７・・・）を駆動し、かつ一水平期間Ｔごとに液晶に印加する電圧の極性を反転させる駆動方法において、ＳＷＢ４８，ＳＷＲ４３，ＳＷＧ４４・・・ＳＷＢ４８の順でスイッチをＯＮにすることを特徴とする駆動方法を用いた液晶表示装置ともいえる。
【０１４６】
本発明は上述した各実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４７】
本発明のデータラインの駆動方法によると、複数のデータライン各々に出力手段からの出力を書き込む際に各データライン間の寄生容量に起因するデータラインの電位変動を抑制（あるいはなくすことが）できるため、例えば、各画素電極に対応して設けられた複数のソースラインに出力手段たるデータドライバからの信号電位を書き込むような表示装置（例えば、液晶表示装置）に利用可能である（特に、外形および配線ピッチに制約がある中小型の高解像度パネルへの利用において、より一層効果的である）。
【図面の簡単な説明】
【０１４８】
【図１】本発明の液晶表示装置の表示部を示すブロック図である。
【図２】本発明における液晶表示装置の駆動方法の一実施形態を示すタイミングチャートである。
【図３】本発明における液晶表示装置の駆動方法の他の実施形態を示すタイミングチャートである。
【図４】本発明の液晶表示装置の表示部に存在する寄生容量を説明するブロック図である。
【図５】従来の液晶表示装置の表示部を示すブロック図である。
【図６】従来の液晶表示装置の駆動方法を示すタイミングチャートである。
【図７】従来の液晶表示装置の表示部に存在する寄生容量を説明するブロック図である。
【符号の説明】
【０１４９】
ＳＲ、ＳＧ、ＳＢ  ソースライン（複数のデータライン）
Ｂ５４・５５  ブロック（データラインの組）
ＳＲ１・ＳＲ７  ソースライン（始端データライン）
ＳＢ６・ＳＢ１２  ソースライン（終端データライン）
７０  ソースドライバ（出力手段）
Ｓ６０・Ｓ６１  ソースドライバからの出力（出力手段からの出力、信号電位）
Ｔ  一水平期間（第１あるいは第２の所定期間）
ＳＷＲ、ＳＷＧ、ＳＷＢ  分割スイッチ（スイッチ）
ＰＲ、ＰＧ、ＰＢ  画素電極（液晶表示装置の画素）
ＴＲ、ＴＧ、ＴＢ  薄膜トランジスタ
【図１】
2005148314.tif 000003
【図２】
2005148314.tif 000004
【図３】
2005148314.tif 000005
【図４】
2005148314.tif 000006
【図５】
2005148314.tif 000007
【図６】
2005148314.tif 000008
【図７】
2005148314.tif 000009